(57)【要約】【課題】  需要者の足首サイズに合った靴下を選択して購入できるようにする。また、購入者の足に合致した履き心地の良い靴下を需要者が購入できる靴下、靴下収納体及び靴下通信販売システムを提供する。【解決手段】  靴下２の特性情報を表示した特性表示部３を有する靴下２において、特性表示部３に足首のサイズＡ又は／及び履き心地Ｈ（足首締付度）が表示され、特性表示部３が靴下２の収容袋１の表面に形成されている。また、特性表示部は靴下２の表面又はシール４に形成されてもよく、靴下２に係止されるラベル５に形成されてもよい。更に、特性表示部は、靴下２を収容する靴下収納体６の表面に形成してもよい。靴下２を販売する販売システムとして、コンピュータを用いたものや通販用雑誌３３を用いたものがある。【選択図】  図１
2005165687.tif 000002
【特許請求の範囲】
【請求項１】
靴下の特性情報を表示した特性表示部を有する靴下において、前記特性表示部に足首サイズ又は／及び足首締付度が表示されていることを特徴とする靴下。
【請求項２】
前記特性表示部が靴下の収容袋の表面に形成されている請求項１に記載の靴下。
【請求項３】
前記特性表示部が靴下の表面に形成されている請求項１に記載の靴下。
【請求項４】
前記特性表示部が靴下に係止されたラベルに形成されている請求項１に記載の靴下。
【請求項５】
１以上の靴下を収納する靴下収納体において、靴下の特性を表示した特性表示部を前記靴下収納体の表面に形成し、この特性表示部に靴下の足首サイズ又は／及び足首締付度が表示されていることを特徴とする靴下収納体。
【請求項６】
コンピュータを用いて靴下が通信販売され、顧客側コンピュータにおける靴下情報を表示した表示画面に少なくとも価格表示手段と注文数量表示手段が構成され、これらの表示手段により顧客が靴下の価格、数量を選択し、これらの選択された靴下情報を顧客側コンピュータからサーバー側コンピュータに送信し、これらの送信データをサーバー側コンピューターが受信して、顧客の要望する靴下を通信販売するコンピュータを用いた靴下通信販売システムにおいて、前記表示画面に靴下の足首サイズ又は／及び足首締付度を示す足首寸法表示手段が備えられており、この足首寸法表示手段で顧客側が足首に適合した足首サイズ又は／及び足首締付度を選択することによって、顧客の要望する靴下を通信販売することを特徴とするコンピュータを用いた靴下通信販売システム。
【請求項７】
通販用雑誌の靴下の表示されたページを見て顧客が要望する価格の靴下を選択し、この選択した靴下を電話もしくはファクシミリで通販会社に注文し、この顧客側の要望する靴下を通販会社側から顧客側に販売するようにした靴下通信販売システムにおいて、前記通販用雑誌の靴下の表示されたページに、靴下の足首サイズ又は／及び足首締付度が表示され、顧客が要望する足首サイズ又は／及び足首締付度の靴下を選択可能とすることを特徴とする通販用雑誌を用いた靴下通信販売システム。
【発明の詳細な説明】
【技術分野】
【０００１】
本発明は、靴下、靴下収納体及び靴下通信販売システムに関し、特に、靴下の価格、サイズ、数量等の靴下の特性情報の他に靴下の足首サイズ又は／及び足首締付度を表示した靴下、靴下収納体及び靴下通信販売システムに関する。
【背景技術】
【０００２】
従来、靴下を店頭等で販売するときに、靴下の特性情報である価格、サイズ、数量等の靴下の特性情報が靴下に直接表示されている。これ以外に靴下に貼られたシールや靴下に係止されたラベル、また靴下収納体（例えば、靴下の収納箱）の表面に靴下の特性情報が表示されていた。
ところが、購入した靴下を履くときに、靴下の足首のサイズが購入者の足に適合せず、足首が緩すぎたりきつすぎたりして、この購入した靴下が履き難い場合があるといった問題が生じていた。
【０００３】
更に、通販用雑誌を見て靴下を購入する場合にも、靴下の特性情報として、足首のサイズが記載されておらず、通信販売で購入した靴下の足首サイズや足首締付度が購入者の足に適合しない場合があった。
【０００４】
また、コンピュータを用いた靴下通信販売システムでは、例えば、図１４に示す靴下通信販売のホームページには、靴下のサイズを表示するサイズ表示手段１０１と数量を表示する注文数量表示手段１０２が表示されているものがある。購入者は靴下サイズ表示手段１０１や注文数量表示手段１０２等で要望する靴下のサイズ及び注文数量を選択する。そして、図１５に示すように、購入者が表示画面で選択した靴下のサイズ、注文数量が表示されると、購入者はＯＮボタン１０３をクリックする。
【０００５】
その結果、図１６に示すように、確認表示画面が現われて、この表示画面で購入者の要望に合致したことを確認した後に、購入者の氏名、住所、電話番号、Ｅ−ｍａｉｌアドレス、希望配達日を入力する。その後に、送信ボタン１０４をクリックしてサーバーに購入希望の旨を送信する。送信を受けたサーバーは配送本部にこのデータを送信し、配送本部は宅配便等を介して購入者の自宅に配達する。購入者はこの配達された靴下の代金を支払う（例えば、下記のホームページ）。
【０００６】
【非特許文献１】ｈｔｔｐ：／／ｗｗｗ．ｎｉｓｓｅｎ．ｃｏ．ｊｐ／
【発明の開示】
【発明が解決しようとする課題】
【０００７】
ところが、上記したホームページにも、購入者が要望する靴下のサイズと注文数量等は表示することができるように構成されているが、購入者の足首サイズや足首締付度は表示されていなかった。このために、靴下を受け取った購入者がこの靴下を履くときに、足首部分のサイズが緩かったりきつかったりして履きにくい場合があるという問題が生じていた。
【０００８】
本発明は、このような従来の実情に鑑みてなされたものであって、特に、購入者の足首サイズや足首締付度に合った靴下を選択して購入することができる。このことにより、購入者の足首に合致した履き心地の良い靴下を購入者が購入することができる靴下、靴下収納体及び靴下通信販売システムを提供することを目的とするものである。
【課題を解決するための手段】
【０００９】
本発明は、上記課題を解決するために提案されたものであって、本発明の第１の形態は、靴下の特性情報を表示した特性表示部を有する靴下において、前記特性表示部に足首サイズ又は／及び足首締付度が表示されている靴下である。
【００１０】
本発明の第２の形態は、前記特性表示部が靴下の収容袋の表面に形成されている靴下である。
【００１１】
本発明の第３の形態は、前記特性表示部が靴下の表面に形成されている靴下である。
【００１２】
本発明の第４の形態は、前記特性表示部が靴下に係止されたラベルに形成されている靴下である。
【００１３】
本発明の第５の形態は、１以上の靴下を収納する靴下収納体において、靴下の特性を表示した特性表示部を前記靴下収納体の表面に形成し、この特性表示部に靴下の足首のサイズ又は／及び足首締付度が表示されている靴下収納体である。
【００１４】
本発明の第６の形態は、コンピュータを用いて靴下が通信販売され、顧客側コンピュータにおける靴下情報を表示した表示画面に少なくとも価格表示手段と注文数量表示手段が構成され、これらの表示手段により顧客が靴下の価格、数量を選択し、これらの選択された靴下情報を顧客側コンピュータからサーバー側コンピュータに送信し、これらの送信データをサーバー側コンピューターが受信して、顧客の要望する靴下を通信販売するコンピュータを用いた靴下通信販売システムにおいて、前記表示画面に靴下の足首サイズ又は／及び足首締付度を示す足首寸法表示手段が備えられており、この足首寸法表示手段で顧客側が足首に適合した足首サイズ又は／及び足首締付度を選択することによって、顧客の要望する靴下を通信販売するコンピュータを用いた靴下通信販売システムである。
【００１５】
本発明の第７の形態は、通販用雑誌の靴下の表示されたページを見て顧客が要望する価格の靴下を選択し、この選択した靴下を電話もしくはファクシミリで通販会社に注文し、この顧客側の要望する靴下を通販会社側から顧客側に販売するようにした靴下通信販売システムにおいて、前記通販用雑誌の靴下の表示されたページに、靴下の足首サイズ又は／及び足首締付度が表示され、顧客が要望する足首サイズ又は／及び足首締付度の靴下を選択可能とする通販用雑誌を用いた靴下の通信販売システムである。
【発明の効果】
【００１６】
本発明の第１の形態によれば、購入者が靴下を購入する際に、靴下のサイズ、価格等の特性情報に加えて、購入者の足首サイズや足首締付度に合致した靴下を選択して購入することができる。足首サイズは足首の周りのサイズであり、足首締付度は、例えば緩め・普通・きつめ等の締付感覚の表示であり、履き心地を表現したものである。以下の記述では足首締付度を履き心地と表現する場合もある。本発明の靴下を購入した需要者は、日常の生活において、足首部分が緩すぎたりきつすぎたりすることがなく、自分自身の足に合った履き心地の良い靴下を装着して毎日行動することができ、快適な日常生活をおくることができる。
【００１７】
本発明の第２の形態によれば、店頭等において、靴下の収容袋に形成された特性表示部を一目して、特に、購入者の足首サイズや足首締付度に合った靴下を選択することができる。そして、購入者は自分の足サイズや、価格等の特性情報の他に自分の足首に合った靴下を選択して購入することができる。
【００１８】
本発明の第３の形態によれば、店頭等において、靴下の表面に形成された特性表示部を一目して、特に、購入者の足首サイズや足首締付度に合った靴下を選択することができる。そして、購入者は自分の足サイズや、価格等の特性情報の他に自分の足首に合った靴下を選択して購入することができる。
【００１９】
本発明の第４の形態によれば、店頭等において、靴下に係止されたラベルに形成された特性表示部を一目して、特に、購入者の足首サイズや足首締付度に合った靴下を選択することができる。そして、購入者は自分の足サイズや、価格等の特性情報の他に自分の足首に合った靴下を選択して購入することができる。
【００２０】
本発明の第５の形態によれば、多数の靴下を収納する靴下収納体（例えば収納箱）の表面に足首サイズや足首締付度が表示されているから、靴下製造業者・靴下流通業者・靴下小売業者が靴下を整理・販売する場合に極めて便利である。また、靴下を倉庫に保管する場合にも、一目で足首サイズや足首締付度が分かり、要望される靴下収納体を確実に配送することができる。
【００２１】
本発明の第６の形態によれば、顧客は顧客側コンピュータを操作して靴下情報が表示された表示画面を選択し、購入しようとする靴下の価格、数量等の他に、顧客の足首サイズや足首締付度に合った靴下を足首寸法表示手段で選択できる。この選択により、顧客が要望する足首サイズや足首締付度を有する靴下を、コンピュータを用いた通信販売システムで簡単迅速に購入することができる。従って、靴下を購入した顧客は、日常の生活において、足首部分が緩すぎたりきつすぎたりすることがなく、自分自身の足首に合った履き心地の良い靴下を毎日履いて行動することができ、快適な日常生活を送ることができる。
【００２２】
本発明の第７の形態によれば、顧客は、通販用雑誌を講読して、要望する価格、サイズの他に自分の足首サイズや足首締付度に合った靴下を選択して、この靴下を通販会社に電話もしくはファクシミリで注文することができる。この注文された靴下は会社側から顧客の自宅に宅配され、顧客が受け取った靴下の代金を支払うことにより、顧客は自分の足首サイズ、足首締付度を有する靴下を購入することができる。従って、従来のように、自分の足サイズに基づいて注文したにもかかわらず靴下で足首をきつく締め付けられるといった不具合を解消することができる。足は人間の二足歩行の基本をなす部分であり、自分の足首に確実に合致した靴下を履くことにより、快適な日常生活を送ることができる。
【発明を実施するための最良の形態】
【００２３】
以下、本発明に係る靴下、靴下収納体、靴下通信販売システムの実施形態を、図１〜図13に基づいて詳細に説明する。
図１は本発明に係る靴下の第１実施形態を示す正面図である。図１に示すように、収容袋１の内部に折り畳んだ状態の靴下２が収容されている。この収容袋１の表面に、収容されている靴下２に関するサイズＳ、足首サイズＡ、緩め・普通・きつめの履き心地Ｈの表示が特性表示部３に形成されている。そして、この足首情報を有する特性表示部３が形成された収容袋１の内部に靴下２が収容され、店頭等に展示される。
【００２４】
店頭等の場所で靴下２を購入したい需要者は、この収容袋１の特性表示部３に示されたサイズＳ、足首サイズＡ及び履き心地Ｈを見て、時分自身に合った靴下２を収容袋１に入った状態で購入する。
【００２５】
従って、この第１実施形態によれば、収容袋１に示された特性表示部３を一目して、購入者の足首サイズや足首締付度に合った靴下を選択することができる。この特性表示部３には、足首サイズや足首締付度以外に、価格、色、素材などを    表示できるから、足首情報を含めて需要者は自分の所望する靴下を購入することができる。
【００２６】
靴下２を購入した需要者は、収容袋１から靴下２を取り出して履くことにより、日常の生活において、足首部分が緩すぎたりきつすぎたりすることがない自分自身の足に合った履き心地の良い靴下２を毎日履いて行動することができる。
【００２７】
図２は本発明に係る靴下の第２実施形態の正面図である。図２に示すように、この第２実施形態の靴下では、靴下２のサイズＳ、足首サイズＡ、履き心地Ｈを示す特性表示部３Ａに相当するシール４が靴下の足首部分に貼り付けられている。尚、特性表示部３Ａは靴下２の表面あるいは裏面に直接印刷されていてもよい。
【００２８】
この靴下２は店頭等に展示されて販売される。需要者は、店頭等に展示された靴下２の特性表示部３Ａを見る。そして、自分自身の足サイズ、足首サイズ及びゆるめ・普通・きつめの履き心地（足首締付度）に合った靴下２を選択して購入する。
【００２９】
従って、この第２実施形態によれば、店頭等において、靴下２の表面に形成された特性表示部３Ａを一目して、購入者の足首サイズや足首締付度（履き心地）にあった靴下を購入することができる。
【００３０】
図３は本発明に係る靴下の第３実施形態の正面図である。図３に示すように、この第３実施形態の靴下では、靴下２のサイズＳ、足首サイズＡ、履き心地Ｈが表示された特性表示部３Ｂに相当するラベル５が靴下の足首部分に吊られて係止されている。
【００３１】
この靴下２は店頭等に展示されて販売されるものである。購入者は、靴下２に係止されたラベル５の特性表示部３Ｂを見る。そして、自分自身のサイズ、足首サイズ及びゆるめ・普通・きつめの履き心地（足首締付度）に合った靴下２を選択して購入する。
【００３２】
従って、この第３実施形態によれば、店頭等において、靴下２に係止されたラベル５の表面に書かれた特性表示部３Ｂを一目して、購入者の足首サイズや履き心地にあった靴下を選択購入することができる。
【００３３】
図４は本発明に係る靴下収納体の斜視図である。図４に示すように、この靴下収納体６は箱状に形成されていて、この箱状の靴下収納体６の蓋部６ａを開けてみると、内部に複数枚の靴下２が収納されている。靴下収容体６の表面には、靴下２のサイズＳ、足首サイズＡ、履き心地Ｈが特性表示部３Ｃに形示されている。
【００３４】
この靴下収納体６は、製造業者・流通業者・小売業者が同種の靴下を梱包・配送するために使用するものである。この靴下収納体６の中にある靴下は足首サイズや履き心地が同一であり、その表面の特性表示部３Ｃを一目すれば、中にある靴下の特性を即座に判断することができる。
【００３５】
従って、この靴下収納体６を利用すれば、所望の足首サイズや足首締付度（履き心地）の靴下を大量に注文・配送することができる。製造業者から配出された靴下収納体６は、中間業者を介して、確実に小売業者に届けられる。特性表示部３Ｃには、足首情報以外に、足サイズ・色・価格・素材等の情報も記載されており、多数の同種靴下を箱単位で売買できる利点を有する。
【００３６】
図５は本発明に係るコンピュータを用いた靴下通信販売システムにおける靴下購入過程を示す模式図である。図５に示すように、このコンピュータを用いた靴下通信販売システムは、複数の顧客側コンピュータ７がインターネットでサーバー側コンピュータ８に接続されている。更に、サーバー側コンピュータ８は配送本部コンピュータ９に接続されている。
【００３７】
顧客側がコンピュータ７を操作して靴下通信販売の表示画面を開く。この表示画面上で、顧客が靴下２の特性情報に基づいて通信販売される靴下の要望データと顧客の名前、住所等の顧客データが、顧客側コンピュータ７からサーバー側コンピュータ８に送信されるようになっている。サーバー側コンピュータ８からは、靴下２のホームページを構成するデータが予め各顧客側コンピュータ７に送信されるようになっている。顧客側コンピュータ７から、靴下２の要望データと顧客データがサーバー側コンピュータ８に送信され、その回答データがサーバー側コンピュータ８から顧客側コンピュータ７に送信されるようになっている。
【００３８】
サーバー側コンピュータ８から、顧客の要望する靴下２の特性情報と顧客データが要望データとして配送本部コンピュータ９に送信される。配送本部側コンピュータ９からは、サーバー側コンピュータ８に回答データが送られるようになっている。配送本部では、顧客の要望する靴下２の特性情報に基づいて、要望製品である靴下２が宅配便１０で顧客の自宅１１に配送されるようになっている。
【００３９】
図６はコンピュータ靴下通信販売システムのブロック図である。次に、図５に基づいて説明したコンピュータを用いた通信販売システムについて、図６のブロック図に基づいて更に詳細に説明する。図６に示すように、顧客側コンピュータ７とサーバー側コンピュータ８と配送本部のコンピュータ９はいずれも入力部７ａ、８ａ、９ａと表示部７ｂ、８ｂ、９ｂとを有している。更に、いずれのコンピュータ７、８、９を送信部７ｃ、８ｃ、９ｃと受信部７ｄ、８ｄ、９ｄとを有している。
【００４０】
顧客側コンピュータ７の送信部７ｃからサーバー側の受信部８ｄ及びサーバー側コンピュータ８の送信部８ｃと顧客側コンピュータ７の受信部７ｄとがオンラインによって接続されている。またサーバー側コンピュータ８の送信部８ｃと配送本部コンピュータ９の受信部９ｄ及び配送本部コンピュータ９の送信部９ｃとサーバー側コンピュータ８の受信部８ｄとがオンラインで接続されている。
【００４１】
配送本部のコンピュータ９の表示部９ｂには、この表示部９ｂに顧客の要望データが表示されたときに、この顧客の要望データに基づいて納品伝票１２を印刷するためにプリンタ１３が設けられている。この納品伝票１２に基づいて、配送本部は顧客に納品するために、商品１４として靴下が準備されるように構成される。
【００４２】
これらの納品伝票１２と商品１４は宅配便１０で顧客の自宅１１に配達される。顧客側は商品を受け取り、商品１４が間違いないかを確かめてから代金支払い１５を宅配便１０の乗車員に行う。又は、顧客側の振り込み口座１６から配送本部の受取口座１７もしくはサーバーの受取口座１８に商品１４である靴下の代金を振り込むシステムが組まれている。
【００４３】
図７は靴下購入時に顧客側コンピュータに示される第１段階の表示画面を示す概略正面図である。図７に示すように、顧客側コンピュータ７の表示画面で、メーカー毎の靴下２に関するホームページを開き、好みのメーカーの靴下のホームページを選択してクリックする。その結果、その所望のメーカーのホームページが表示画面に表示される。
【００４４】
この表示画面には、商品名である靴下とその商品番号が表示され、価格表示手段１９で靴下２のサイズ毎の価格が表示される。更に、靴下の色を表示する色表示手段２０で靴下２の好みの色を選択し、靴下のサイズを表示するサイズ選択手段２１で顧客の足に合った靴下２のサイズを選択する。また、靴下２の足首サイズを表示する足首サイズ表示手段２２で顧客の足に合った靴下２の足首サイズを選択する。更に、靴下２の履き心地（足首締付度）としての緩め、普通、きつめのうちの好みの履き心地を履き心地表示手段２３で選択する。また、顧客の要望する靴下２の注文数量を注文数量表示手段２４で選択する。
【００４５】
図８は靴下購入時に顧客側コンピュータに示される第２段階の表示画面を示す概略正面図である。図８に示すように、顧客が入力した色、サイズ、足首サイズ、履き心地、注文数量が各表示手段２０、２１、２２、２３、２４に表示される。顧客はその表示に間違いがないかどうかを表示画面で確かめ、ＯＫボタン２５をクリックするようになっている。
【００４６】
図９は靴下購入時に顧客側コンピュータに示される第３段階の表示画面を示す概略正面図である。図９に示すように、顧客が要望する靴下２のデータを確認する表示画面が現われ、顧客は再度、この表示画面により靴下２の特性情報を確かめることができる。この表示画面により靴下２の特性情報が正しいかどうかを顧客は読み直す。合っていたら、顧客は、氏名の欄２６、住所の欄２７、電話番号の欄２８、顧客のＥ−ｍａｉｌの欄２９、希望配達日の欄３０に顧客情報を入力する。
【００４７】
もし、靴下２に関する特性情報のいずれかに間違いがあったら、顧客情報を入力する前に、「戻る」ボタン３１をクリックして図８に示される表示画面に戻り、要望する靴下２の正確な特性情報を再度入力する。その後、顧客情報の各欄２６、２７、２８、２９、３０を再度確かめて、正確であれば、送信ボタン３２をクリックし、要望データと顧客データをサーバー側に送信する。
【００４８】
図１０は同システムにおける靴下購入に至る手順を示すフローチャートである。
上記のように構成されたコンピュータを用いた通信販売システムに関して靴下注文から受取、代金支払いまでの手順を図１０に示すフローチャートに基づいて詳細に説明する。
【００４９】
先ず、最初にスタート時点から、顧客側コンピュータ７で顧客がインターネットのホームページを開く（ステップＳ１）。次に、コンピュータ７の表示画面に各メーカーが表示される（ステップＳ２）。そこで顧客は、各メーカーから好みのメーカーをクリックして選択する（ステップＳ３）。選択したメーカーの商品名が表示され、靴下２の欄をクリックすると、コンピュータ７の表示画面に靴下２の各特性情報が表示される（Ｓ４）。表示画面に表示された価格表示手段１９で各寸法の靴下２の価格表示を見て、良かったら色表示手段２０で靴下の好みの色を選択する（Ｓ５）。
【００５０】
そして、サイズ表示手段２１、足首表示手段２２、履き心地表示手段２３で、顧客の要望する靴下２のサイズ、足首サイズ、緩め・普通・きつめの何れかを選択する（Ｓ６〜Ｓ８）。次に、顧客の要望する靴下２の数量を注文数量表示手段２４で選択する（Ｓ９）。ここまで選択したら、顧客が各表示手段２０、２１、２２、２３、２４に表示された靴下２の特性情報を再度確認して、良ければＯＫボタン２５をクリックする（Ｓ１０）。すると、靴下２の各特性情報をまとめた表示画面に代わり、これらの特性情報が改めて一覧表示される（Ｓ１１）。
【００５１】
この一覧表示された靴下２の各特性情報を見て、顧客自身の要望と異なる所があれば、「戻る」ボタン３１をクリックして表示画面をステップＳ５に戻す。顧客は、靴下２の特性情報を各表示手段２１、２２、２３、２４で改めて選択して、ＯＫボタン２５をクリックする（Ｓ１２）。
【００５２】
一覧表示された靴下２の各特性情報が顧客の要望する靴下２の各特性情報と合致していた場合（ＯＫの場合）、顧客の氏名、住所、電話番号、Ｅ−ｍａｉｌ、希望配達日を顧客データとして入力する（Ｓ１３）。
【００５３】
顧客側が表示画面上の送信ボタン３２をクリック（Ｓ１４）すると、これらの要望データと顧客データがサーバー側コンピュータ８に送信される（Ｓ１５）。サーバー側コンピュータ８は配送本部のコンピュータ９に各データを送信する（Ｓ１６）。
【００５４】
配送本部コンピュータ９では、納品伝票１２と靴下の商品１４を準備して、宅配便１０に委託し、宅配便１０で顧客の自宅１１に配達し（Ｓ１７）、顧客はこの靴下の商品１４を受け取り（Ｓ１８）、納品伝票１２に受け取りの旨をサインする。顧客は靴下の商品１４を確かめたうえで、宅配便１０に代金を支払うか、もしくは振り込み口座１６から配送本部の受取口座１７又はサーバーの受取口座１８に代金を支払う（Ｓ１９）。これで、一連の靴下の注文から受け取り、代金支払いの商取引が終了することになる。
【００５５】
この実施形態に係るコンピュータを用いた靴下通信販売システムによれば、顧客は、顧客側コンピュータ７の表示画面で、購入しようとする靴下２の価格、サイズ、数量の他に、顧客の足首サイズ又は／及び足首締付度に合った靴下２を足首寸法表示手段２２で選択できる。この選択された足首情報を含む靴下情報に合致した靴下２を、コンピュータを用いた通信販売システムで購入することができる。このことにより、靴下２を購入した顧客は、日常の生活において、足首部分が緩すぎたりきつすぎたりすることのなく、自分自身の足に合った履き心地の良い靴下２を毎日履いて行動することができ、快適な日常生活をおくることができる。
【００５６】
図１１は本発明に係る通販用雑誌を用いた靴下通信販売システムにおいて通販用雑誌の靴下ページを開いた状態の斜視図である。
図１１に示すように、この実施形態に係る通販用雑誌３３の靴下ページを開くと、各メーカー毎に靴下２の商品番号３４と靴下２の特性情報が記載されている。この靴下２の特性情報としては、靴下２のサイズ３５、靴下２の足首サイズ３６、緩め・普通・きつめの履き心地３７（足首締付度）が記載されている。更に、靴下２の価格３８が記載されている。顧客はこの通販用雑誌３３で自分自身に合った靴下２を選択し、その商品番号で通販会社に電話かファクシミリで注文することとなる。
【００５７】
図１２は同システムのブロック図である。図１２に示すように、この実施形態の通販用雑誌を用いた靴下通信販売システムでは、顧客側は通販用雑誌３３を見て電話３９かファクシミリ４０で通販会社に靴下２を注文することとなる。顧客側の電話３９とファクシミリ４０は通販会社の電話４１とファクシミリ４２に電話回線４３を介して接続されている。
【００５８】
通販会社側には、顧客から注文された靴下２のデータを入力する入力部４４と表示部４５と受信部４６と送信部４７を有するコンピュータ４８が設置されている。この通販会社と配送本部のコンピュータ４９がオンライン回線５０で接続されている。この配送本部コンピュータ４９も入力部５１、表示部５２、受信部５３、送信部５４を有している。配送本部コンピュータ４９の表示部５２には顧客が要望する靴下２の要望データと顧客データが表示され、これらの情報を印刷するプリンタ５５が配送本部に設置されている。このプリンタ５５によって、納品伝票５６が印刷され、この納品伝票５６と靴下商品５７とが宅配便５８に受け渡しされる。
【００５９】
宅配便５８は顧客の自宅５９に靴下商品５７を配達する。商品５７を受け取った顧客は、代金支払い６０をするために宅配便５８に直接代金を渡すか、もしくは振り込み口座６１から通販会社の受取口座６２に振り込むようにする。
【００６０】
図１３は同システムにおける靴下購入に至る手順を示すフローチャートである。次に、図１３のフローチャートを参照しつつ、本実施形態の通販用雑誌を用いた靴下通信販売システムにおいて、靴下２の注文から受け取り、代金支払いに至る手順について詳細に説明する。
【００６１】
先ず、スタート時点から、顧客が本屋やコンビニエンス等から通販用雑誌を購入し（Ｓ２１）、この通販用雑誌から靴下２を購入するために適切なメーカーを選択し（Ｓ２２）、靴下２の欄のページを見る（Ｓ２３）。顧客は、この靴下２のページで、靴下２の色、サイズ、足首サイズ、緩め・普通・きつめの履き心地（足首締付度）を選択（Ｓ２４）し、靴下２の商品番号を選択する（Ｓ２５）。
【００６２】
次に、顧客は要望する靴下２の商品番号を通販会社宛に電話３９で申し込むかどうかを決める（Ｓ２６）。ファクシミリ４０を使用するときは、ファクシミリ４０から通販会社のファクシミリ４２に送信する。即ち、通信用用紙に靴下２の商品番号３４と数量と顧客の名前、住所等の顧客情報を記入して送信する（Ｓ２７）。電話３９で注文する場合は、通販会社の電話４１に電話（Ｓ２８）して、通販会社に選択した靴下２の商品番号３４と数量と顧客の名前、住所等の顧客情報を通知する（Ｓ２９）。
【００６３】
顧客から靴下２の注文を受けた通販会社は、靴下２の商品番号３４と数量と顧客情報をコンピュータ４８に入力部４４から入力（Ｓ３０）し、表示部４５で確かめてから、送信部４７から配送本部コンピュータ４９の受信部５３に送信する（Ｓ３１）。配送本部では、受信部５３で受信した各情報を表示部５２で表示してから、入力部５１で納品伝票５６を作成して表示部５２に表示する。確認後、プリンタ５５で印刷された納品伝票５６と靴下商品５７を宅配便５８に渡す。
【００６４】
宅配便５８は顧客の自宅５９に靴下商品５７を宅配（Ｓ３２）して、顧客はこれを受け取る（Ｓ３３）。顧客は、納品伝票５６にサインし、靴下商品５７が要望したものであるかどうか確かめ、宅配便５８に代金を支払うか、又は振り込み口座６１から通販会社の受取口座６２に振り込む（Ｓ３４）。
これで、一連の靴下の注文から受け取り、代金支払いの商取引が終了することになる。
【００６５】
この実施形態に係る通販用雑誌を用いた靴下通信販売システムによれば、顧客は、通販用雑誌を講読し、要望する価格、サイズの他に自分の足首に合った足首サイズ又は／及び足首締付度の靴下２を選択し、この足首情報を含む靴下の特性情報を、通販会社に電話３９もしくはファクシミリ４０で注文することができる。この注文された特性情報に合った靴下２を通販会社側から顧客の自宅５９に宅配し、顧客が受け取った靴下２の代金を支払うことにより、顧客は、自分の足首サイズ、足首締付度に合った靴下２を購入することができる。靴下２を購入した顧客は、日常の生活において、足首部分が緩すぎたりきつすぎたりすることのなく、自分自身の足に合った履き心地の良い靴下２を毎日履いて行動でき、快適な日常生活をおくることができる。
【００６６】
尚、上記した実施形態では、靴下２について説明したが、この靴下２はストッキング等の長めの靴下を含むことは勿論である。
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００６７】
この発明に係る靴下は、衣料品店、デパートの衣料品売り場の靴下の展示場所、スーパーの靴下展示場所、コンビニエンスストアーの靴下展示場所などで販売できる。また、コンピュータを用いた通信販売、通販用雑誌を用いた通信販売で購入することもでき、その他、製造直販等にも利用できる。靴下として、例えば、子供用、紳士用、婦人用の靴下の他に、足袋等にも適用することができる。
【図面の簡単な説明】
【００６８】
【図１】本発明に係る靴下の第１実施形態を示す正面図である。
【図２】本発明に係る靴下の第２実施形態の正面図である。
【図３】本発明に係る靴下の第３実施形態の正面図である。
【図４】本発明に係る靴下収納体の斜視図である。
【図５】本発明に係るコンピュータを用いた靴下通信販売システムにおける靴下購入過程を示す模式図である。
【図６】コンピュータ靴下通信販売システムのブロック図である。
【図７】靴下購入時に顧客側コンピュータに示される第１段階の表示画面を示す概略正面図である。
【図８】靴下購入時に顧客側コンピュータに示される第２段階の表示画面を示す概略正面図である。
【図９】靴下購入時に顧客側コンピュータに示される第３段階の表示画面を示す概略正面図である。
【図１０】同システムにおける靴下購入に至る手順を示すフローチャートである。
【図１１】本発明に係る通販用雑誌を用いた靴下通信販売システムにおいて通販用雑誌の靴下ページを開いた状態の斜視図である。
【図１２】同システムのブロック図である。
【図１３】同システムにおける靴下購入に至る手順を示すフローチャートである。
【図１４】従来のコンピュータを用いた靴下通信販売システムにおける表示画面の第１の段階を示す概略正面図である。
【図１５】従来のコンピュータを用いた靴下通信販売システムにおける表示画面の第２の段階を示す概略正面図である。
【図１６】従来のコンピュータを用いた靴下通信販売システムにおける表示画面の第３の段階を示す概略正面図である。
【符号の説明】
【００６９】
Ｓ      サイズ
Ａ      足首サイズ
Ｈ      履き心地
１      収容袋
２      靴下
３      特性表示部
３Ａ    特性表示部
３Ｂ    特性表示部
３Ｃ    特性表示部
４      シール
５      ラベル
６      靴下収納体
６ａ    蓋部
７      顧客側のコンピュータ
７ａ    入力部
７ｂ    表示部
７ｃ    送信部
７ｄ    受信部
８      サーバー側のコンピュータ
８ａ    入力部
８ｂ    表示部
８ｃ    送信部
８ｄ    受信部
９      配送本部のコンピュータ
９ａ    入力部
９ｂ    表示部
９ｃ    送信部
９ｄ    受信部
１０    宅配便
１１    顧客の自宅
１２    納品伝票
１３    プリンタ
１４    靴下の商品
１５    代金支払い
１６    顧客側の振り込み口座
１７    配送本部の受取口座
１８    サーバーの受取口座
１９    価格表示手段
２０    色表示手段
２１    サイズ選択手段
２２    足首サイズ表示手段
２３    履き心地表示手段
２４    注文数量表示手段
２５    ＯＫボタン
２６    氏名の欄
２７    顧客の住所の欄
２８    電話番号の欄
２９    顧客のＥ−ｍａｉｌの欄
３０    希望配達日の欄
３１    戻るボタン
３２    送信ボタン
３３    通販用雑誌
３４    商品番号
３５    サイズ
３６    足首サイズ
３７    履き心地
３８    価格
３９    顧客側の電話
４０    顧客側のファクシミリ
４１    通販会社の電話
４２    通販会社のファクシミリ
４３    電話回線
４４    入力部
４５    表示部
４６    受信部
４７    送信部
４８    通販会社のコンピュータ
４９    配送本部のコンピュータ
５０    オンライン通信
５１    入力部
５２    表示部
５３    受信部
５４    送信部
５５    プリンタ
５６    納品伝票
５７    靴下の商品
５８    宅配便
５９    顧客の自宅
６０    代金支払い
６１    振り込み口座
６２    通販会社の受取口座
【図１】
2005165687.tif 000003
【図２】
2005165687.tif 000004
【図３】
2005165687.tif 000005
【図４】
2005165687.tif 000006
【図５】
2005165687.tif 000007
【図６】
2005165687.tif 000008
【図７】
2005165687.tif 000009
【図８】
2005165687.tif 000010
【図９】
2005165687.tif 000011
【図１０】
2005165687.tif 000012
【図１１】
2005165687.tif 000013
【図１２】
2005165687.tif 000014
【図１３】
2005165687.tif 000015
【図１４】
2005165687.tif 000016
【図１５】
2005165687.tif 000017
【図１６】
2005165687.tif 000018